【手続補正書】
【提出日】平成28年1月21日(2016.1.21)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
光を透過可能な透光性を有する複数の導光板と、
前記複数の導光板の各々に対応し、導光板の端面に光を入射可能に設けられる複数の発光体と、
を備え、
前記複数の導光板は、スペーサー部材に当接することで所定の隙間を隔てた状態により板厚方向に重畳して配設される
ことを特徴とする遊技機。
【手続補正２】
【補正対象書類名】明細書
【補正対象項目名】０００１
【補正方法】変更
【補正の内容】
【０００１】
本発明は、遊技を行うことが可能な遊技機に関する。
【手続補正３】
【補正対象書類名】明細書
【補正対象項目名】０００２
【補正方法】変更
【補正の内容】
【０００２】
遊技機として、パチンコ遊技機やスロットマシンにおいて、遊技に関連する演出を行う演出手段の一例として、例えば、導光板を用いた表示装置がある。この表示装置は、発光ダイオードなどの光源から導光板の端面を通して内部に透光させて導いた光を、導光板の平面部に設けた反射部により反射させることで発光させるものがあり、該反射部を、文字や図柄などの表示情報を表すドットパターンにて形成することで、光源からの光により表示情報を表示可能としたもの等があった（例えば、特許文献１参照）。
【手続補正４】
【補正対象書類名】明細書
【補正対象項目名】０００３
【補正方法】削除
【補正の内容】
【手続補正５】
【補正対象書類名】明細書
【補正対象項目名】０００４
【補正方法】変更
【補正の内容】
【０００４】
【特許文献１】特開２００６−７５３６２号公報
【手続補正６】
【補正対象書類名】明細書
【補正対象項目名】０００５
【補正方法】削除
【補正の内容】
【手続補正７】
【補正対象書類名】明細書
【補正対象項目名】０００６
【補正方法】変更
【補正の内容】
【０００６】
本発明は、このような問題点に着目してなされたもので、導光板により多様な演出を実行することができる遊技機を提供することを目的としている。
【手続補正８】
【補正対象書類名】明細書
【補正対象項目名】０００７
【補正方法】変更
【補正の内容】
【０００７】
前記課題を解決するために、本発明の請求項１に記載の遊技機は、
遊技を行うことが可能な遊技機であって、
光を透過可能な透光性を有する複数の導光板と、
前記複数の導光板の各々に対応し、導光板の端面に光を入射可能に設けられる複数の発光体と、
を備え、
前記複数の導光板は、スペーサー部材に当接することで所定の隙間を隔てた状態により板厚方向に重畳して配設される
ことを特徴としている。
本発明の手段１の遊技機は、
遊技用価値（メダル／遊技球等）を用いて遊技を行うことが可能な遊技機（スロットマシン１／パチンコ遊技機６０１）であって、
光を透過可能な透光性を有する導光板｛導光板５０５（前導光板５０５ａ，後導光板５０５ｂ）｝と、
前記導光板の端面（上端面５０５Ｈ）に光を入射可能に設けられる発光体（表示用ＬＥＤ６２ａ，６２ｂ）と、を備え、
前記導光板に、該導光板の端面から内部に入射された前記発光体からの入射光により発光する発光部（反射部５１０ａ〜５１０ｃ，５１１ａ〜５１１ｃ）が設けられ、
前記導光板と前記発光体との間に、該発光体からの入射光を該導光板の板厚（前後）方向に集光して該導光板の端面に向けて出射する集光部材｛集光レンズ５０７（前レンズ５０７ａ，後レンズ５０７ｂ）｝が設けられている
ことを特徴としている。
この特徴によれば、発光体からの光を集光部材を透して導光板に入射させることで、発光体からの光を板厚方向に拡散させることなく導光板の端面に導くことができ、これにより光の減衰が抑制されるため、発光部の輝度の低下を防止できる。
尚、前記発光部は、前記発光体からの入射光を反射させて光出射面から出射させる凹部等からなる反射部や、前記光出射面に形成され前記発光体からの入射光を全反射させずに光出射面から出射させる凸部等からなる透光部を含む。
【手続補正９】
【補正対象書類名】明細書
【補正対象項目名】０００８
【補正方法】変更
【補正の内容】
【０００８】
本発明の手段２の遊技機は、手段１に記載の遊技機であって、
前記集光部材｛集光レンズ５０７（前レンズ５０７ａ，後レンズ５０７ｂ）｝は、
前記発光体（表示用ＬＥＤ６２ａ，６２ｂ）に対向して配置される入射側端面（上端面５０７Ｈ）と、
前記導光板｛導光板５０５（前導光板５０５ａ，後導光板５０５ｂ）｝の端面（上端面５０５Ｈ）に対向して配置される出射側端面（下端面５０７Ｌ）と、を備え、
前記出射側端面（Ｌ１）は、前記入射側端面（Ｌ２）よりも板厚幅寸法が短寸に形成されている｛Ｌ１＜Ｌ２、（図１３参照）｝
ことを特徴としている。
この特徴によれば、入射側端面から入射した光を確実に板厚方向に集光して出射側端面から出射させることができるため、光の減衰を抑制できる。
【手続補正１０】
【補正対象書類名】明細書
【補正対象項目名】０００９
【補正方法】変更
【補正の内容】
【０００９】
本発明の手段３の遊技機は、手段１または２に記載の遊技機であって、
遊技者から見て前記導光板｛導光板５０５（前導光板５０５ａ，後導光板５０５ｂ）｝の奥側（背面側）に表示装置（液晶表示器５１）が設けられている
ことを特徴としている。
この特徴によれば、板厚方向への光の拡散による減衰が防止されることで、発光部を目立たないように形成しても輝度が著しく低下することがないので、発光部の非発光時に該発光部により表示装置の視認性が妨げられることがない。
【手続補正１１】
【補正対象書類名】明細書
【補正対象項目名】００１０
【補正方法】変更
【補正の内容】
【００１０】
本発明の手段４の遊技機は、手段１〜３のいずれかに記載の遊技機であって、
前記導光板（前導光板５０５ａ，後導光板５０５ｂ）は、板厚（前後）方向に重畳して複数配設され、
前記発光体（表示用ＬＥＤ６２ａ，６２ｂ）及び前記集光部材（前レンズ５０７ａ、後レンズ５０７ｂ）は、前記複数の導光板各々に対応して設けられている（図１２参照）
ことを特徴としている。
この特徴によれば、複数の導光板のうちいずれかに対応する発光体からの光が漏れて他の導光板の端面に入り込み、発光させたくない発光部が発光してしまうことを回避できる。
【手続補正１２】
【補正対象書類名】明細書
【補正対象項目名】００１１
【補正方法】変更
【補正の内容】
【００１１】
本発明の手段５の遊技機は、手段１〜４のいずれかに記載の遊技機であって、
前記発光体（表示用ＬＥＤ６２ａ，６２ｂ）の発光制御を行う発光制御手段（サブＣＰＵ９１ａ）を備え、
前記発光体は、前記導光板｛導光板５０５（前導光板５０５ａ，後導光板５０５ｂ）｝の端面（上端面５０５Ｈ）に沿って複数並設され（図１４参照）、
前記集光部材｛集光レンズ５０７（前レンズ５０７ａ，後レンズ５０７ｂ）｝は、
前記複数の発光体に対向して配置される入射側端面（上端面５０７Ｈ）と、
前記導光板の端面に対向して配置され、該導光板の端面に向けて膨出する湾曲面にて構成される出射側端面（下端面５０７Ｌ）と、を有し、
前記出射側端面は、前記複数の発光体各々に対応して設けられ（図１４参照）
前記発光制御手段は、前記複数の発光体のうち一部を部分的に発光させる制御が可能である（図１５〜図１７参照）
ことを特徴としている。
この特徴によれば、発光体からの出射光を広域の平行光にして導光板に略均一に入光させることができるため、発光体の中心部付近が明るく、外側が暗くなるような不安定な入光にはならないばかりか、発光された発光体に対応する表示情報のみを表示させることができるため、多彩な演出を実施することが可能となる。